(57)【特許請求の範囲】
【請求項１】
親局と複数の子局が接続された、伝送同期方式によりデータの伝送が行われる共通データ信号線に接続され、
所定のアドレス番号を複数記憶する制御参照アドレス記憶手段および監視参照アドレス記憶手段と、
前記制御参照アドレス記憶手段から順次引き渡された前記アドレス番号を出力する制御アドレス設定手段と、
前記共通データ信号線に伝送される伝送信号の始まりを示すスタート信号を起点として、前記伝送信号のパルスをカウントし、前記カウントの値が前記制御アドレス設定手段から引き渡されたアドレス番号と一致するタイミング信号を得る制御アドレス抽出手段と、
前記監視参照アドレス記憶手段から順次引き渡された前記アドレス番号を出力する監視アドレス設定手段と、
前記共通データ信号線に伝送される伝送信号の始まりを示すスタート信号を起点として、前記伝送信号のパルスをカウントし、前記カウント値が前記前記監視アドレス設定手段から引き渡されたアドレス番号と一致するタイミングを得る監視アドレス抽出手段と、
前記タイミング信号により子局制御データを抽出し、出力する制御データ抽出手段と、
前記タイミング信号により子局監視データを抽出し、出力する監視データ抽出手段と、
前記制御データ抽出手段から出力された前記子局制御データの複数の内容に応じた出力を行う制御表示出力手段と、
前記監視データ抽出手段から出力された前記子局監視データの複数の内容に応じた出力を行う監視表示出力手段を備えることを特徴とする一括表示子局。
【請求項２】
別体の端末器とデータ授受を行い、前記端末器から受けたデータを前記制御参照アドレス記憶手段と前記監視参照アドレス記憶手段に引き渡すＨＴインターフェース手段を備える請求項１に記載の一括表示子局。
【請求項３】
前記制御参照アドレス記憶手段と前記監視参照アドレス記憶手段は、予め設定されたアドレス番号を記憶している請求項１に記載の一括表示子局。
【請求項４】
前記制御参照アドレス記憶手段と前記監視参照アドレス記憶手段は、前記親局からのダウンロードで、予め設定されたアドレス番号を記憶している請求項１に記載の一括表示子局。
【発明の詳細な説明】
【技術分野】
【０００１】
本発明は、制御部に接続された親局と複数の出力部および入力部、或いは複数の被制御装置に対応する複数の子局との間の信号線を省配線化し共通データ信号線で接続し、伝送クロックで同期させるなどの伝送同期方式によりデータの伝送を行う制御・監視信号伝送システムにおいて、子局の動作状況を、子局の設置現場において確認するための技術に関するものである。
【背景技術】
【０００２】
制御部と、複数の出力部と入力部、或いは複数の被制御装置を備える制御システムにおいて、配線の数を減らす、所謂省配線化が広く実施されている。そして、その省配線化の一般的な手法として、複数の出力部と入力部、或いは被制御装置から延出される信号線の各々を制御部に直接繋ぐパラレル接続に代えて、パラレル信号とシリアル信号の変換機能を備えた親局と複数の子局を、制御部と複数の出力部と入力部、或いは複数の被制御装置にそれぞれ接続し、親局と複数の子局との間で共通データ信号線を介してシリアル信号によりデータ授受を行う方式が広く採用されている。そして、このような制御システムでは、通常、複数の子局の動作状況は、制御部側で一括表示されることになる。【０００３】
また、子局の正常な動作だけではなく、子局の断線故障も制御部側で一括して把握する提案もなされている。例えば、本出願人は、子局および入力部と出力部の断線故障を、制御部側で特定するためのシステムとして、特開２０１１−１１４４４９号公報に開示されているリモート配線チェックシステムを提案している。このリモート配線チェックシステムでは、単一の制御部と複数の被制御装置を備えた制御・監視信号伝送システムにおいて、省配線化されたデータ信号線で接続されている親局と子局との間で双方向同時に伝送される制御データ（出力データ）と監視データ（入力データ）とで構成される制御・監視データ領域と異なる、配線状態を示す接続データを含む管理データ領域を設けている。そして、接続データにおいて、短絡情報、断線情報および正常情報が識別されるものとなっている。そのため、信号の入力データ（監視データ）容量を減らすことなく、子局自体や子局と入力部或いは子局と出力部との間の配線接続状態を容易に確認することができる。
【先行技術文献】
【特許文献】
【０００４】
【特許文献１】特開２０１１−１１４４４９号公報
【発明の概要】
【発明が解決しようとする課題】
【０００５】
子局の断線故障を制御部側で一括して把握する試みは、制御部から遠く離れている出力部、入力部、或いは被制御装置を各々チェックして故障箇所を特定するために多くの工数を要するという実情を考慮したものである。しかしながら、システムの点検作業においては、断線していない正常な子局の動作状況を、子局の設置現場で確認する必要がある。そして、そのような場合においては、子局の動作状況を子局の設置現場から遠く離れた制御部側で一括把握できたとしても、その確認に却って手間や時間を要することになるという問題があった。また、子局の設置現場で子局の動作状況確認する必要がある場合は、一括表示する出力部を持つ子局を新たに設け、その子局を動作させるために、制御部側で所定の制御プログラムが必要となり、子局の設置現場で子局の動作状況確認を容易にシステム構築できないという問題があった。【０００６】
そこで、本発明は、制御部に接続された親局と、複数の出力部、入力部、被制御装置に対応する複数の子局が共通データ信号線で接続され、伝送同期方式によりデータの伝送が行われる制御・監視信号伝送システムにおいて、既存のシステムに変更を加えることなく、複数子局の動作状況の確認を子局の設置現場で容易に行うことを可能とする一括表示子局を提供することを目的とする。
【課題を解決するための手段】
【０００７】
本発明に係る一括表示子局は、親局と複数の子局が接続された、伝送同期方式によりデータの伝送が行われる共通データ信号線に接続され、制御アドレス抽出手段と、制御データ抽出手段と、制御参照アドレス記憶手段と、制御アドレス設定手段と、監視アドレス抽出手段と、監視データ抽出手段と、監視参照アドレス記憶手段と、監視アドレス設定手段と、制御表示出力手段と、監視表示出力手段を備える。
制御参照アドレス記憶手段と監視参照アドレス記憶手段は、所定のアドレス番号を複数記憶する。
制御アドレス設定手段は、前記制御参照アドレス記憶手段から順次引き渡された前記アドレス番号を出力する。
制御アドレス抽出手段は、前記共通データ信号線に伝送される伝送信号の始まりを示すスタート信号を起点として、前記伝送信号のパルスをカウントし、前記制御アドレス設定手段から引き渡されたアドレス番号と一致するタイミング信号を得る。
監視アドレス抽出手段は、前記共通データ信号線に伝送される伝送信号の始まりを示すスタート信号を起点として、前記伝送信号のパルスをカウントし、前記カウント値が前記監視アドレス設定手段から引き渡されたアドレス番号と一致するタイミングを得る。
制御データ抽出手段は、前記タイミング信号により子局制御データを抽出し、出力する。
監視データ抽出手段は、前記タイミング信号により子局監視データを抽出し、出力する。
制御表示出力手段は、制御データ抽出手段から出力された子局制御データの複数の内容に応じた出力を行う。
監視表示出力手段は、前記監視データ抽出手段から出力された前記子局監視データの複数の内容に応じた出力を行う。
【０００８】
本発明に係る一括表示子局は、別体の端末器とデータ授受を行い、前記端末器から受けたデータを前記制御参照アドレス記憶手段と前記監視参照アドレス記憶手段に引き渡すＨＴインターフェース手段を備えるものであってもよい。【０００９】
前記制御参照アドレス記憶手段と前記監視参照アドレス記憶手段は、予め設定されたアドレス番号を記憶しているものであってもよい。【００１０】
前記制御参照アドレス記憶手段と前記監視参照アドレス記憶手段は、前記親局からのダウンロードで、予め設定されたアドレス番号を記憶しているものであってもよい。【００１１】
本発明に係る一括表示子局が適用される制御・監視信号伝送システムの伝送同期方式の同期手法としては、例えば、親局が有するタイミング発生手段で生成される伝送クロックを利用する手法が好適である。この場合、前記伝送クロックの制御下で、親局は、制御部から引き渡された制御データの値に応じて制御信号として一連のパルス状信号を共通データ信号線に出力すると共に、一連のパルス状信号に複数の子局の各々からクロックの１周期毎に重畳された監視信号のデータ値を抽出し、これを前記制御部に引き渡す。一方、複数の子局の各々は、一連のパルス状信号の始まりを示すスタート信号を起点として、一連のパルス状信号のパルスをカウントし、カウントの値が自局アドレス番号と一致したとき、一連のパルス状信号から自局に対応するデータを抽出するとともに、自局に対応するデータを抽出したクロックと同じパルス周期に、監視信号を一連のパルス状信号に重畳し、または、カウントの値が自局アドレス番号と一致したとき、一連のパルス状信号から自局に対応するデータを抽出し、または、監視信号を一連のパルス状信号に重畳する。ただし、その同期手法に制限はなくシステム設計条件に適する手法を採用すればよい。
【発明の効果】
【００１２】
本発明の一括表示子局は、共通データ信号線に伝送される伝送信号から、伝送信号における所定のアドレスのデータの複数を抽出し、これら複数のデータを、その各々の内容に応じた動作表示とするために出力する。従って、状態確認を必要とする他局である子局のアドレス番号を制御参照アドレス記憶手段と監視参照アドレス記憶手段に記憶させることにより、状態確認を必要とする子局の動作状態を動作表示とすることができ、一括表示子局が設置された現場において確認することができる。また、他の子局に関する情報を一括した動作表示として、容易に確認することができる。更に、制御部側において所定の制御プログラムが不要となり、子局の設置現場において、制御参照アドレス記憶手段と監視参照アドレス記憶手段にアドレス番号を記憶させる作業のみで、必要とする所定の子局の動作状況を把握することができる。なお、動作表示させるにあたり所望の表示形式をなす表示手段を適宜選べばよいが、動作表示の内容は、発光の有無（点灯消灯）など簡素なものとすれば感覚的に理解することができるため好ましい。【００１３】
また、別体の端末器とデータ授受を行い、端末器から受けたデータを制御参照アドレス記憶手段と監視参照アドレス記憶手段に引き渡すＨＴインターフェース手段を備えるものであれば、状態確認を必要とする子局のアドレス番号を、制御参照アドレス記憶手段と監視参照アドレス記憶手段に、端末器を介して容易に記憶させることができる。そのため、一括表示子局の設置場所が制限される現場において、作業者が直接手を触れて操作することが困難な場所に設置された場合でも制御参照アドレス記憶手段と監視参照アドレス記憶手段にアドレス番号を記憶させることができ、適用範囲を広げることができる。【００１４】
一方、状態確認を必要とする子局が決まっている場合は、制御参照アドレス記憶手段と監視参照アドレス記憶手段として、その子局のアドレス番号を予め記憶しているものを使用することにより、設置現場におけるアドレス番号入力操作が不要となるため、作業者が直接手を触れて操作することが困難な場所に設置しなければならない場合でも使用することができる。なお、制御参照アドレス記憶手段と監視参照アドレス記憶手段に子局のアドレス番号を予め記憶させる手法として、その子局のアドレス番号を親局側から予めダウンロードして記憶させることとしても良い。
【図面の簡単な説明】
【００１５】
【図１】本発明に係る一括表示子局の実施例のシステム構成図である。
【図２】参照アドレス記憶手段の機能ブロック図である。
【図３】本発明に係る一括表示子局を採用した制御・監視信号伝送システムの概略構成を示すシステム構成図である。
【図４】親局のシステム構成図である。
【図５】親局と子局の間の伝送方式の模式図である。
【図６】端末器の正面図である。
【図７】端末器のシステム構成図である。
【図８】伝送クロック信号のタイムチャート図である。
【発明を実施するための形態】
【００１６】
図１〜８を参照しながら、本発明に係る一括表示子局を採用した制御・監視信号伝送システムの実施例を説明する。
図３に示すように、この制御・監視信号伝送システムは、制御部１および共通データ信号線ＤＰ、ＤＮ（以下、伝送ラインということがある）に接続された単一の親局２と、共通データ信号線ＤＰ、ＤＮに接続された入出力子局４、出力子局６および入力子局７の複数と、共通データ信号線ＤＰ、ＤＮに接続された単一の一括表示子局１０とで構成される。なお、図３においては、図示の便宜上、入出力子局４、出力子局６および入力子局７が一つずつ示されているが、共通データ信号線ＤＰ、ＤＮに接続される子局の種類や数に制限は無い。一括表示子局１０も、状態確認を必要とする子局の数に応じて増やしてもよい。
【００１７】
入出力子局４、出力子局６および入力子局７は、制御部１の出力指示に応じて動作する出力部８に対する信号出力処理と、制御部１への入力情報を取り入れる入力部９からの入力信号処理のいずれかまたは双方を行うものである。なお、出力部８とは、例えば、アクチュエータ、（ステッピング）モータ、ソレノイド、電磁弁、リレー、サイリスタ、ランプ等であり、入力部９とは、例えば、リードスイッチ、マイクロスイッチ、押釦スイッチ、光電スイッチ、各種センサ等である。入出力子局４は、出力部８と入力部９で構成される被制御装置５に接続され、出力子局６は出力部８のみに接続され、入力子局７は入力部９にのみ接続されている。また、出力子局６は出力部８を内包するもの（出力部一体型子局８０）であってもよく、入力子局７は入力部９を内包するもの（入力部一体型子局９０）であってもよい。
【００１８】
制御部１は、例えばプログラマブルコントローラ、コンピュータ等であり、制御並列データ１３を送出する出力ユニット１１と、入出力子局４および入力子局７からの監視信号から抽出される監視データに基づき得られた監視並列データ１５を受け取る入力ユニット１２を有する。そして、これら出力ユニット１１と入力ユニット１２が親局２に接続されている。
【００１９】
親局２は、図４に示すように、出力データ部２１、タイミング発生部２３、親局出力部２４、親局入力部２５、および入力データ部２６を備える。そして、共通データ信号線ＤＰ、ＤＮに接続され、本発明の伝送信号に相当する一連のパルス状信号である制御信号（以下、伝送クロック信号というものとする）を共通データ信号線ＤＰ、ＤＮに送出するとともに、入出力子局４、出力子局６、または入力子局７（以下、これら全てを指す場合は「子局４、６、７」という）から送出された監視信号から抽出された監視並列データ１５を制御部１の入力ユニット１２へ送出する。
【００２０】
出力データ部２１は、制御部１の出力ユニット１１からの制御並列データ１３をシリアルデータとして親局出力部２４へ引き渡す。
【００２１】
タイミング発生部２３は、発振回路（ＯＳＣ）３１とタイミング発生手段３２からなり、ＯＳＣ３１を基にタイミング発生手段３２が、このシステムのタイミングクロックを生成し親局出力部２４および親局入力部２５に引き渡す。
【００２２】
親局出力部２４は、制御データ発生手段３３とラインドライバ３４からなる。制御データ発生手段３３が、出力データ部２１から受けたデータと、タイミング発生部２３から受けたタイミングクロックに基づき、ラインドライバ３４を介して共通データ信号線ＤＰ、ＤＮに一連のパルス状信号として伝送クロック信号を送出する。
【００２３】
伝送クロック信号は、図５に示すように、スタート信号ＳＴに続く制御・監視データ領域を有するものとなっている。制御・監視データ領域は、親局２から送出される制御信号のデータ（以下、伝送制御データという）ＯＵＴｎ（ｎは整数）と子局４から送出される監視信号のデータ（以下、伝送監視データという）ＩＮｎ（ｎは整数）とで構成される。そして、伝送クロック信号のパルスは、図８に示すように、１周期の後半が高電位レベル（この実施例では＋２４Ｖ）と、前半が低電位レベル（この実施例では＋１２Ｖ）とされ、低電位レベルとなるパルス前半のパルス幅間隔が出力データ期間となり、同じく低電位レベルとなるパルス前半が入力データ期間ともなる。そして、低電位レベルのパルス幅間隔が制御信号のデータＯＵＴｎを、低電位レベルに重畳される電流の有無が監視信号のデータＩＮｎを表すものとなっている。この実施例では、伝送クロック信号の１周期をｔ０とした時、低電位レベルのパルス幅間隔は（１／４）ｔ０から（３／４）ｔ０まで拡張されるが、制御部１から入力される制御並列データ１３の各データの値に応じたものであれば、その幅に制限はなく適宜に決めればよい。また、入力データ期間と出力データ期間も適宜に決めることができ、例えば、入力データ期間はこの実施例と同様にパルス前半（低電位レベル）とし、パルス後半（高電位レベル）のパルス幅間隔を出力データ期間としてもよく、逆に、出力データ期間をこの実施例と同様にパルス前半（低電位レベル）とし、パルス後半（高電位レベル）を入力データ期間としてもよい。更に、パルス後半（高電位レベル）を出力データ期間と入力データ期間を兼ねるものとしてもよい。伝送クロック信号の１周期の後半が低電位レベルとなる場合も同様である。なお、図４において、上段は制御データ（出力データ）期間を、下段は監視データ（入力データ）期間を示すものとなっている。
【００２４】
スタート信号ＳＴは、伝送クロック信号の高電位レベルと同じ電位レベルであって、伝送クロック信号の１周期より長い信号となっている。
【００２５】
親局入力部２５は監視信号検出手段３５と親局監視データ抽出手段３６で構成される。監視信号検出手段３５は、共通データ信号線ＤＰ、ＤＮを経由して入出力子局４および入力子局７から送出された監視信号を検出する。監視信号のデータ値は、既述のように低電位レベルに重畳される電流の有無で表されており、スタート信号ＳＴが送信された後、入出力子局４および入力子局７の各々から順次監視信号を受け取るものとなっている。監視信号のデータは、タイミング発生手段３２の信号に同期して親局監視データ抽出手段３６で抽出される。そして、監視信号のデータが直列の入力データとして入力データ部２６に送出される。
【００２６】
入力データ部２６は、親局入力部２５から受け取った直列の入力データを並列（パラレル）データに変換し、監視並列データ１５として制御部１の入力ユニット１２へ送出する。
【００２７】
入出力子局４、出力子局６および入力子局７は、内部回路としてマイクロコンピュータ・コントロール・ユニットであるＭＣＵを備えており、それぞれの子局入出力部４０、子局出力部６０および子局入力部７０として機能するものとなっている。すなわち、制御部１の出力指示に応じて動作する出力部８に対する信号出力処理と、制御部１への入力情報を取り入れる入力部９からの入力信号処理のいずれかまたは双方を行うものとなっている。
【００２８】
一括表示子局１０は、図１に示すように、伝送受信手段４１、制御アドレス抽出手段４２、制御データ抽出手段４３、監視アドレス抽出手段４５、監視データ抽出手段４６、ＨＴインターフェース手段６１、制御参照アドレス記憶手段６２、制御アドレス設定手段６３、監視参照アドレス記憶手段６４、監視アドレス設定手段６５を有する一括表示部１００を備える。なお、この実施例の一括表示子局１０も、子局４、６、７と同様に内部回路としてマイクロコンピュータ・コントロール・ユニットであるＭＣＵを備えており、このＭＣＵが一括表示部１００として機能するものとなっている。処理において必要となる演算や記憶は、このＭＣＵの備えるＣＰＵ、ＲＡＭおよびＲＯＭを使用して実行されるが、一括表示部１００を構成する上記各手段のそれぞれの処理におけるＣＰＵ、ＲＡＭおよびＲＯＭとの関係は、説明の便宜上、図示を省略するものとする。
【００２９】
一括表示子局１０は、また、一括表示部１００に接続された制御表示手段４４と監視表示手段４７を備えている。更に、制御表示手段４４と監視表示手段４７には、動作表示手段４８が接続されている。
【００３０】
伝送受信手段４１は、共通データ信号線ＤＰ、ＤＮに伝送される伝送クロック信号を受けて、これを制御アドレス抽出手段４２および監視アドレス抽出手段４５に引き渡す。制御アドレス抽出手段４２は、伝送クロック信号の始まりを示すスタート信号ＳＴを起点としてパルスをカウントし、そのカウント値が制御アドレス設定手段６３から引き渡されたアドレス番号データと一致するタイミングで制御データを制御データ抽出手段４３に引き渡す。また、監視アドレス抽出手段４５は、伝送クロック信号の始まりを示すスタート信号ＳＴを起点としてパルスをカウントし、そのカウント値が監視アドレス設定手段６５から引き渡されたアドレス番号データと一致するタイミングで監視データを監視データ抽出手段４６に引き渡す。
【００３１】
制御アドレス設定手段６３には、図２に示すように、制御参照アドレス記憶手段６２から引き渡された複数のアドレス番号を、順次、アドレス番号データとして制御アドレス抽出手段４２に引き渡す。監視アドレス設定手段６５もまた同様に、監視参照アドレス記憶手段６４から引き渡された複数のアドレス番号を、順次、アドレス番号データとして監視アドレス抽出手段４５に引き渡す。
【００３２】
制御データ抽出手段４３は、制御アドレス抽出手段４２から引き渡された制御データからデータ値（本発明の子局制御データ）を抽出し、その抽出データをタイミング信号と同時に制御表示手段４４に引き渡す。また、監視データ抽出手段４６は、監視アドレス抽出手段４５から引き渡された制御データからデータ値（本発明の子局監視データ）を抽出し、その抽出データをタイミング信号と同時に監視表示手段４７に引き渡す。
【００３３】
ＨＴインターフェース手段６１は、投光手段６６と、受光手段６７を備え、別体の端末器５０と非接触でデータの授受を行う。そして、端末器５０から受けたアドレスデータを、制御参照アドレス記憶手段６２と監視参照アドレス記憶手段６４に引き渡す。なお、この実施例において、ＨＴインターフェース手段６１と端末器５０とのデータ授受は無接触で行うものとされているが、データ授受の方式に制限はない。ＨＴインターフェース手段６１と端末器５０をデータ信号線で接続し、データ授受を有接触（有線）で行うものとしてもよい。
【００３４】
制御表示手段４４は、図２に示すように、制御参照アドレス記憶手段６２から引き渡された複数のアドレス番号の各々について、制御データ抽出手段４３から引き渡されたデータを、タイミング信号に基づいて順次記憶する。記憶されたデータは、制御表示手段４４に接続された動作表示手段４８に出力され、そこで表示される。
【００３５】
監視表示手段４７もまた、図２に示すように、監視参照アドレス記憶手段６４から引き渡された複数のアドレス番号の各々について、監視データ抽出手段４６から引き渡されたデータを、タイミング信号に基づいて順次記憶する。記憶されたデータは、監視表示手段４７に接続された動作表示手段４８に出力され、そこで表示される。
【００３６】
動作表示手段４８は、制御参照アドレス記憶手段６２および監視参照アドレス記憶手段６４に記憶されているアドレス番号の数に対応するＬＥＤ発光部を備えている。そして、ＬＥＤ発光部の各々が、制御参照アドレス記憶手段６２および監視参照アドレス記憶手段６４に記憶されているアドレス番号の各々に対応し、制御表示手段４４および監視表示手段４７に記憶されているデータの内容に応じて点灯、消灯、あるいは点滅するものとなっている。なお、動作表示手段４８の動作状態表示法としては、この実施例のように、発光の有無（点灯消灯）による簡素なものとすれば感覚的に理解することができるため好ましい。また、この実施例において、動作表示手段４８は一括表示子局１０に接続されているが、一括表示子局に内包させたもの（動作表示手段一体型子局１１０）としてもよい。
【００３７】
図６、図７で示す端末器５０は、端末器送受信部５１、端末器入力部５２、端末器表示部５３を備え、また、内部回路としてマイクロコンピュータ・コントロール・ユニットであるＭＣＵを有している。これらは、いずれも公知の部品や回路で構成することができるため詳細な説明は省略し、その機能の概略についてのみ簡単に説明する。投光素子と受光素子を備えている端末器送受信部５１は、一括表示子局１０のＨＴインターフェース手段６１に対し、動作確認を必要とする子局のアドレス番号のデータを発し、或は、ＨＴインターフェース手段６１から発せられた投光信号のデータを受信する。
【００３８】
この一括表示子局１０によれば、共通データ信号線ＤＰ、ＤＮに伝送される伝送信号から、伝送信号における所定のアドレス（制御参照アドレス記憶手段６２および監視参照アドレス記憶手段６４に記憶されたアドレス）のデータの複数が抽出され、これら複数のデータの各々の内容が動作表示手段４８に表示される。従って、状態確認を必要とする子局の動作状態を動作表示として、この一括表示子局１０が設置された１箇所および複数個所の現場において確認することができる。また、他の子局に関する情報を一括した動作表示として、容易に確認することができる。更に、制御部側において所定の制御プログラムが不要となり、子局の設置現場において、制御参照アドレス記憶手段６２と監視参照アドレス記憶手段６４にアドレス番号を記憶させる作業のみで、必要とする所定の子局の動作状況を把握することができる。
【００３９】
なお、この実施例では、制御表示手段４４と監視表示手段４７のデータは動作表示手段４８に出力されているが、これらデータをＨＴインターフェース手段６１に出力し、端末器５０においてその内容を確認するものとしてもよい。
【符号の説明】
【００４０】
１    制御部
２    親局
４    入出力子局
５    被制御装置
６    出力子局
７    入力子局
８    出力部
９    入力部
１０  一括表示子局
１１  出力ユニット
１２  入力ユニット
１３  制御並列データ
１５  監視並列データ
２１  出力データ部
２３  タイミング発生部
２４  親局出力部
２５  親局入力部
２６  入力データ部
３１  ＯＳＣ（発振回路）
３２  タイミング発生手段
３３  制御データ発生手段
３４  ラインドライバ
３５  監視信号検出手段
３６  親局監視データ抽出手段
４０  子局入出力部
４１  伝送受信手段
４２  制御アドレス抽出手段
４３  制御データ抽出手段
４４  制御表示手段
４５  監視アドレス抽出手段
４６  監視データ抽出手段
４７  監視表示手段
４８  動作表示手段
５０  端末器
５１  端末器送受信部
５２  端末器入力部
５３  端末器表示部
６０  子局出力部
６１  ＨＴインターフェース手段
６２  制御参照アドレス記憶手段
６３  制御アドレス設定手段
６４  監視参照アドレス記憶手段
６５  監視アドレス設定手段
６６  投光手段
６７  受光手段
７０  子局入力部
８０  出力部一体型子局
９０  入力部一体型子局
１００  一括表示部
１１０  動作表示手段一体型子局
【要約】
制御部に接続された親局と、複数の出力部、入力部、被制御装置に対応する複数の子局が共通データ信号線で接続され、伝送同期方式によりデータの伝送が行われる制御・監視信号伝送システムにおいて、既存のシステムに変更を加えることなく、複数子局の動作状況の確認を子局の設置現場で容易に行うことを可能とする。制御参照アドレス記憶手段および監視参照アドレス記憶手段に記憶されたアドレス番号と一致するタイミング信号により、子局制御データおよび子局監視データを抽出し、これらデータの複数の内容に応じた出力を行う。
【選択図】  図１【図１】
0005602328.tif 000002
【図２】
0005602328.tif 000003
【図３】
0005602328.tif 000004
【図４】
0005602328.tif 000005
【図５】
0005602328.tif 000006
【図６】
0005602328.tif 000007
【図７】
0005602328.tif 000008
【図８】
0005602328.tif 000009